(57)【特許請求の範囲】
【請求項１】
建地の側部に上下方向に貫通するくさび孔を有する受け金具が、布地の端部に前記くさび孔に挿入されるくさび部を有する係合金具がそれぞれ突設され、前記くさび部は断面略溝状に形成され、当該くさび部の下端部に、前記受け金具の下側で前記くさび部の外側にばねの力で突出する抜止めストッパーが取り付けられ、当該抜止めストッパーは前記くさび部内に回転自在に軸支して収納され、かつ他端側に形成された逆くの字状をなす当接部がばねの力によってくさび部の外側に常時突出するようになっていることを特徴とする鋼管足場の連結部。
【請求項２】
建地の側部に上下方向に貫通するくさび孔を有する受け金具が、腕木の端部に前記くさび孔に挿入されるくさび部を有する係合金具がそれぞれ突設され、前記くさび部は断面略溝状に形成され、当該くさび部の下端部に、前記受け金具の下側で前記くさび部の外側にばねの力で突出する抜止めストッパーが取り付けられ、当該抜止めストッパーは前記くさび部内に回転自在に軸支して収納され、かつ他端側に形成された逆くの字状をなす当接部がばねの力によってくさび部の外側に常時突出するようになっていることを特徴とする鋼管足場の連結部。
【請求項３】
抜止めストッパーは、一端側にくの字状をなす当接部を、他端側に逆くの字状をなす当接部をそれぞれ有し、かつ中央部分に突設されたフランジ部を貫通する水平ピンによってくさび部内の下端部に回転自在に軸支して収納されてなることを特徴とする請求項１または２記載の鋼管足場の連結部。
【発明の詳細な説明】
【０００１】
【発明の属する技術分野】
この発明は、建設工事などで仮設足場として使用される鋼管足場の建地と布地および腕木との連結部に関する。
【０００２】
【従来の技術】
建設工事などで作業床や通路などとして広く使用される仮設足場としては、例えば図５（ａ）に図示するような鋼管足場が一般に知られている。
【０００３】
この種の鋼管足場においては、建地３０が所定間隔おきに建て付けられ、この建地３０，３０間に布地３１と腕木３２が複数段にそれぞれ架け渡され、そして腕木３２，３２間に布板３３が架け渡されている。
【０００４】
建地３０、布地３１および腕木３２には足場用鋼管が使用され、また布地３１と腕木３２の端部は建地３０にクランプ等の専用の緊結金具によって連結されている他、当出願人が開発した、例えば図５（ｂ）に図示するような連結金具によって連結されている。
【０００５】
図５（ｂ）に図示する連結方法においては、連結金具として建地３０の側部に受け金具３３が、布地３１と腕木３２の端部に係合金具３４がそれぞれ突設され、また受け金具３３には縦に貫通するくさび孔３３ａが形成され、係合金具３４にはくさび孔３３ａに挿入可能なくさび３４ａが真下に向かって突設されている。
【０００６】
そして、布地３１と腕木３２の端部はそれぞれ、くさび孔３３ａにくさび３４ａを差し込まれることで建地３０に連結されている。
【０００７】
【発明が解決しようとする課題】
しかし、クランプ等の緊結金具による方式は、ボルトの締め付け等があって作業が面倒なだけでなく、作業中に誤って緊結金具を地上に落としてしまうおそれがあるために安全面で課題があるだけでなく、落とした緊結金具の回収という煩わしさがあった。
【０００８】
また、当出願人が開発した、図５（ｂ）に図示する連結方法は、ボルトの締め付け等の煩わしい作業はなく、差し込み方式により建地３０と布地３１との連結および切り離しを簡単に行うことができるものの、組み立て後に足場の揺れや振動などによってくさび孔３３ａとくさび３４ａとによるクサビ効果がゆるみ、くさび３４ａがくさび孔３３ａから抜けるおそれがあり、安全上大きな課題があった。
【０００９】
この発明は以上の課題を解決するためになされたもので、特に建地と布地および腕木との連結および切り離しを簡単に行うことができて、しかも連結後の揺れや振動などによる連結部の外れる事故を未然に防止できるようにした鋼管足場の連結部を提供することを課題とする。
【００１０】
【課題を解決するための手段】
請求項１記載の鋼管足場の連結部は、建地の側部に上下方向に貫通するくさび孔を有する受け金具が、布地の端部に前記くさび孔に挿入されるくさび部を有する係合金具がそれぞれ突設され、前記くさび部は断面略溝状に形成され、当該くさび部の下端部に、前記受け金具の下側で前記くさび部の外側にばねの力で突出する抜止めストッパーが取り付けられ、当該抜止めストッパーは前記くさび部内に回転自在に軸支して収納され、かつ他端側に形成された逆くの字状をなす当接部がばねの力によってくさび部の外側に常時突出するようになっていることを特徴とするものである。
【００１１】
請求項２記載の鋼管足場の連結部は、建地の側部に上下方向に貫通するくさび孔を有する受け金具が、腕木の端部に前記くさび孔に挿入されるくさび部を有する係合金具がそれぞれ突設され、前記くさび部は断面略溝状に形成され、当該くさび部の下端部に、前記受け金具の下側で前記くさび部の外側にばねの力で突出する抜止めストッパーが取り付けられ、当該抜止めストッパーは前記くさび部内に回転自在に軸支して収納され、かつ他端側に形成された逆くの字状をなす当接部がばねの力によってくさび部の外側に常時突出するようになっていることを特徴とするものである。
【００１２】
請求項３記載の鋼管足場の連結部は、請求項１または２記載の鋼管足場の連結部において、抜止めストッパーは、一端側にくの字状をなす当接部を、他端側に逆くの字状をなす当接部をそれぞれ有し、かつ中央部分に突設されたフランジ部を貫通する水平ピンによってくさび部内の下端部に回転自在に軸支して収納されてなることを特徴とするものである。
【００１３】
【発明の実施の形態】
図１〜図４は、鋼管足場とその建地と布地との連結部、および建地と腕木との連結部の一例をそれぞれ示し、図において所定間隔おきに建地１が建て付けられ、この建地１，１間に布地２と腕木３が同じ高さで複数段にそれぞれ架け渡され、さらに各腕木３，３間に布板４がそれぞれ架け渡されている。
【００１４】
建地１、布地２および腕木３には足場用鋼管が使用され、布板４には鋼製布板が使用されている。また、建地１の側部と布地２および腕木３の端部には、連結金具として受け金具５と係合金具６がそれぞれ突設されている。
【００１５】
受け金具５は建地１の軸方向に所定間隔おきに、かつ一カ所につき二個ないし四個が直角二方向ないし直角四方向に水平に突設されている。
【００１６】
各受け金具５にはそれぞれ、平面矩形状のくさび孔５ａが上下方向に貫通して形成されている。くさび孔５ａは上端部の内径が一番大きく、下方向に徐々に小径となるように形成されている。
【００１７】
一方、係合金具６には下方に突出するくさび部６ａが突設されている。くさび部６ａはくさび孔５ａの形状に対応する形状の断面略溝形状に形成され、かつ上端部の外径が一番大きく、下方向に徐々に小径となるように形成されている。
【００１８】
また、くさび部６ａはくさび孔５ａに上から挿入された際に、下端部がくさび孔５ａの下方に所定長さ突出するようにくさび孔５ａの深さより長く形成されている。
【００１９】
さらに、くさび部６ａの建地１と当接する側には、建地１の側面形状（凸曲面状をなしている）に対応して、凹溝状部６ｂが上下方向に連続して形成されており、このため、くさび部６ａがくさび孔５ａに挿入された際に凹溝状部６ｂが建地１の側面部に係合することで、連結部の安定性が図られている。
【００２０】
なお、くさび部６ａの建地１と当接する側に凹溝状部６ｂが形成されていることに伴い、くさび部６ａの内側には凸状部６ｃが上下方向に連続して形成されている。
【００２１】
このように形成されたくさび部６ａの下端部に、くさび部６ａがくさび孔５ａに上から挿入された状態で受け金具５の下側に、ばねの力で突出する抜止めストッパー７が取り付けられている。
【００２２】
抜止めストッパー７は、断面略溝形状をなすくさび部６ａ内に収納でき、かつ一端側をくさび部６ａ内の凸状部６ｃに当接させた状態で斜めに傾けるにつれて他端側がくさび部６ａの外側に徐々に突出するような外径と長さを有する板状に形成されている。
【００２３】
また、抜止めストッパー７の一端側にくの字状をなす当接部７ａが、他端側に逆くの字状をなす当接部７ｂがそれぞれ形成され、さらに左右両側のほぼ中央部分にはフランジ部７ｃがそれぞれ突設され、フランジ部７ｃにはピン孔７ｄがそれぞれ形成されている。
【００２４】
こうして形成された抜止めストッパー７は、くさび部６ａ内の下端部にピン孔７ｄ，７ｄをそれぞれ貫通し、かつ両端がくさび部６ａの左右フランジ部６ｄ，６ｄにそれぞれ軸支された水平ピン８によって回転自在に取り付けられている。
【００２５】
また、くさび部６ａ内の凸状部６ｃと抜止めストッパー７との間に板ばね９が取り付けられている。板ばね９は水平ピン８の側面形状（凸曲面状）に沿ってくの字状に形成され、かつその一端側がくさび部６ａ内の凸状部６ｃに、他端側が抜止めストッパー７の裏側にそれぞれ当接した状態に取り付けられている。
【００２６】
板ばね９がこのように取り付けられていることで、抜止めストッパー７の他端側、すなわち当接部７ｂは板ばね９の力によって一定量、常にくさび部６ａの外側に突出している。また、当接部７ｂは強く押し付けることでくさび部６ａ内に簡単に収納される。
【００２７】
したがって、図４（ａ）に図示するように、抜止めストッパー７の当接部７ｂがくさび部６ａの外側に突出していても、くさび部６ａを受け金具５のくさび孔５ａに上から挿入するだけで、図４（ｂ）に図示するように当接部７ｂはくさび孔５ａを通る際に強く押し付けられて一時的にくさび部６ａ内に収納されるので、建地１の側部に布地２と腕木３の端部をそれぞれきわめて簡単に連結することができる。
【００２８】
また、図４（ｃ）に図示するように、くさび部６ａがくさび孔５ａに挿入された状態で、抜止めストッパー７の当接部７ｂがくさび部６ａの外側に板ばね９の力で突出している限り、くさび部６ａがくさび孔５ａから抜けるような状態に至ったとしても、抜止めストッパー７の当接部７ｂが受け金具５の下端部に当たることで、くさび部６ａがくさび孔５ａから誤って抜けるようなことはない。
【００２９】
また、図４（ｂ）に図示するように、当接部７ｂは強く押し付けられることでくさび部６ａ内に簡単に収納されることから、当接部７ｂを強く押し付けてくさび部６ａ内に収納した状態で、くさび部６ａを受け金具５のくさび孔５ａから上に抜くだけで、建地１の側部から布地２と腕木３の端部をそれぞれきわめて簡単に外すことができる。
【００３０】
【発明の効果】
この発明は以上説明した通りであり、建地の側部に縦に貫通するくさび孔を有する受け金具が、布地および腕木の端部に前記くさび孔に挿入されるくさび部を有する係合金具がそれぞれ突設され、かつ前記くさび部が前記くさび孔に挿入された状態で、受け金具の下側にばねの力で突出する抜止めストッパーが取り付けられているので、鋼管足場の組み立て後に足場の揺れや振動などでくさび孔とくさび部とによるクサビ効果が緩んだとしても、抜止めストッパーが受け金具の下端部に当たることでくさび部がくさび孔から抜けるおそれはなく、安全性にきわめてすぐれている。
【００３１】
また、建地と布地および腕木との連結および切り離しをきわめて簡単に行うことができる。
【図面の簡単な説明】
【図１】鋼管足場の一例を示し、（ａ）はその一部斜視図、（ｂ）は建地と布地との連結部を示す図（ａ）におけるイ部分解斜視図である。
【図２】建地と布地との連結部を示し、（ａ）は連結された状態を示す側面図、（ｂ）は縦断面図である。
【図３】抜止めストッパーの取付状態を示し、（ａ）は抜止めストッパーの下端部の縦断面図、（ｂ）は（ａ）におけるロ−ロ線断面図である。
【図４】建地と布地との連結部を示し、（ａ）〜（ｃ）は動作を示す断面図である。
【図５】鋼管足場の一例を示し、（ａ）はその一部斜視図、（ｂ）は従来の建地と布地との連結部を示す図（ａ）におけるイ部分解斜視図である。
【符号の説明】
１  建地
２  布地
３  腕木
４  布板
５  受け金具
５ａ  くさび孔
６  係合金具
６ａ  くさび部
６ｂ  凹溝状部
６ｃ  凸状部
６ｄ  フランジ部
７  抜止めストッパー
７ａ  当接部
７ｂ  当接部
７ｃ  フランジ部
７ｄ  ピン孔
８  水平ピン
９  板ばね
【図１】
0003558992.tif 000002
【図２】
0003558992.tif 000003
【図３】
0003558992.tif 000004
【図４】
0003558992.tif 000005
【図５】
0003558992.tif 000006